(57)【要約】【課題】蓄電モジュール又は電源関連装置に搭載され、搭載装置について種別に応じた個別の情報の提示を可能とする通信デバイスを提供する。【解決手段】通信デバイスは、蓄電モジュール又は電源関連装置のいずれにも搭載可能である。通信デバイスは、デバイスプログラムを記憶する記憶部を備える。前記デバイスプログラムは、ＯＳ（Operating System）プログラム、ＯＳ上で動作するＷｅｂサーバ用プログラム及び通信用プログラムを共通部分として含み、前記デバイスプログラムは、当該通信デバイスが接続される蓄電モジュール又は電源関連装置夫々に応じたＷｅｂ画面データを個別部分として含む。【選択図】図５
2019118259.tif 000002
【特許請求の範囲】
【請求項１】
蓄電モジュール又は電源関連装置のいずれにも搭載可能な通信デバイスであって、
デバイスプログラムを記憶する記憶部を備え、
前記デバイスプログラムは、ＯＳ（Operating System）プログラム、ＯＳ上で動作するＷｅｂサーバ用プログラム及び通信用プログラムを共通部分として含み、
前記デバイスプログラムは、当該通信デバイスが接続される蓄電モジュール又は電源関連装置夫々に応じたＷｅｂ画面データを個別部分として含む
通信デバイス。
【請求項２】
前記蓄電モジュール又は電源関連装置と通信する第１通信部と、
第１装置又は第２装置と通信する第２通信部と、
前記第２通信部にて前記第１装置から送信要求を受けた場合、前記第１通信部から得られる前記蓄電モジュール又は電源関連装置の状態を含む情報を前記第１装置へ前記第２通信部から送信する第１送信部と、
を備える請求項１に記載の通信デバイス。
【請求項３】
前記第２通信部にて前記第２装置から送信要求を受けた場合、前記第１通信部から前記蓄電モジュール又は電源関連装置の状態を含む状態を取得し、取得した情報を表示させるための表示情報を前記Ｗｅｂ画面データに基づき作成し、作成した表示情報を前記第２装置へ前記第２通信部から送信する第２送信部を備える
請求項２に記載の通信デバイス。
【請求項４】
前記電源関連装置は、パワーコンディショナ、無停電電源装置、及び整流器の少なくともいずれか１つである
請求項１から３のいずれか１項に記載の通信デバイス。
【発明の詳細な説明】
【技術分野】
【０００１】
本発明は、蓄電素子又は電源関連装置のいずれにも搭載可能であるが、装置の種別に応じた情報を提示する通信デバイスに関する。
【背景技術】
【０００２】
蓄電素子は、無停電電源装置、安定化電源に含まれる直流又は交流電源装置等に広く使用されている。また、再生可能エネルギー又は既存の発電システムにて発電された電力を蓄電しておく大規模なシステムでの蓄電素子の利用が拡大している。
【０００３】
無停電電源装置、安定化電源、又は発電システムにおいては、蓄電素子の保守活動が重要になる。これらのシステムに含まれる蓄電素子の充電状態（ＳＯＣ：State Of Charge
）、又は寿命予測の情報について、サーバ装置経由で、蓄電素子のユーザ又は保守担当者が遠隔から取得することを可能とする技術が多数提案されている。
【０００４】
例えば特許文献１には、蓄電素子の劣化率の予測値をサーバ装置及びネットワークを経由してオペレータが遠隔からその情報を視認することを実現するシステムが提案されている。
【０００５】
特許文献２には、無停電電源装置における蓄電素子の交換を確実に実行するために、サービスセンタ及びネットワークを経由してモニタリングプログラムに基づきバッテリ交換の時期を予告し、ユーザとオペレータがメール等を用いて情報を交換するシステムが開示されている。
【先行技術文献】
【特許文献】
【０００６】
【特許文献１】特開２０１５−１２１５２０号公報
【特許文献２】特開２００２−２８７８５７号公報
【発明の概要】
【発明が解決しようとする課題】
【０００７】
特許文献１，２に開示されているように、蓄電素子自体又は蓄電素子を用いる装置について、ユーザ又は保守担当者が状態を遠隔から取得することを実現するシステムが提案され、実現している。しかしながらこれまで、蓄電素子及び電源関連装置における各種情報を一括して提示できるシステムについては実現されてこなかった。
【０００８】
鉛蓄電池又はリチウムイオン電池のような蓄電素子は、車載用途（自動車用途、自動二輪車用途）以外の産業用途に適用される場面が増加している。例えば、太陽光発電システムに蓄電素子が並設されることがある。この場合、蓄電素子はパワーコンディショナと接続される。メガソーラーと呼ばれる大規模な太陽光発電システムでは、非常に多くの蓄電素子及びパワーコンディショナが設置されて利用される。工場又は大規模施設における電力ピークカットを実現する場合にも、非常に多くの蓄電素子及びパワーコンディショナが設置されて利用される。鉄道用途においても、非常に多くの蓄電素子と直流又は交流電源装置である整流器とが設置されて利用される。従来の保守支援システムでは、分散電源システム又は事業主体にこのように多くの蓄電素子と電源関連装置が設置されるケースを想定していない。
【０００９】
ＩｏＴ（Internet of Things）の社会への浸透と平行して、蓄電素子及び電源関連装置の遠隔監視の実現とそれによる付加価値サービスの実現に対する期待が高まっている。
【００１０】
蓄電素子及び電源関連装置を含むシステムの保守管理では、システムに含まれる蓄電素子自体又は電源関連装置夫々に独立して開発された従来の保守支援システムを利用することができるが、使用方法も表示態様も統一感がなく、保守管理が煩雑になる。
【００１１】
本発明は、蓄電素子又は電源関連装置のいずれにも搭載可能であるが、装置の種別に応じた情報を提示する通信デバイスを提供することを目的とする。
【課題を解決するための手段】
【００１２】
本開示に係る通信デバイスは、蓄電モジュール又は電源関連装置のいずれにも搭載可能である。通信デバイスは、デバイスプログラムを記憶する記憶部を備える。記憶部に記憶されているデバイスプログラムは、ＯＳ（Operating System）プログラム、ＯＳ上で動作するＷｅｂサーバ用プログラム及び通信用プログラムを共通部分として含み、前記デバイスプログラムは、当該通信デバイスが接続される蓄電モジュール又は電源関連装置夫々に応じたＷｅｂ画面データを個別部分として含む。
【００１３】
上記構成により、通信デバイスは蓄電モジュール又は電源関連装置のいずれにも搭載可能である上で、共通するプログラムを含むデバイスプログラムを記憶し、デバイスプログラムに基づいて動作する。デバイスプログラムは、共通するプログラムの他に、対象が通信モジュールであるのか、その他の電源関連装置であるのかに応じて異なる態様で画面を表示させるためのＷｅｂ画面データを含む。多種多様な装置が含まれるシステムであっても同一のハードウェアである通信デバイスを搭載し、同様のＷｅｂ機能によって通信できる。
【００１４】
各通信デバイスのデバイスプログラムは上述の共通部分の他に、各通信デバイスから蓄電モジュール又は電源関連装置によって異なる画面データを個別部分として記憶する。これにより、蓄電モジュール又は電源関連装置によって異なる画面を表示させること可能であり、蓄電モジュールの情報であるのか、電源関連装置の情報であるのかの視覚的な識別が容易になる。
【００１５】
前記蓄電モジュールは、蓄電セルを複数接続した蓄電モジュールである。蓄電モジュールは、蓄電モジュールを複数接続した蓄電モジュール群であってもよい。電源関連装置は、パワーコンディショナであってよい。電源関連装置は、蓄電素子から得られる電流を交直変換するか、周波数変換するインバータ若しくはコンバータ、該インバータ若しくはコンバータを用いた無停電電源装置、又は整流器であってもよい。
【００１６】
各通信デバイスには接続されている装置の種別に応じて異なるプロトコル（メッセージフォーマット）又は機能を実現する外部連携用プログラムが個別に記憶されてもよい。通信デバイスに記憶されているプログラムはＷｅｂサーバプログラムを始めとして共通するものが多い。ただし個別のプログラムとして、装置が無停電電源装置であれば、外部からのシャットダウン制御を受け付けることを可能とするプログラムが記憶されており、他の装置であれば装置毎の異常通信プロトコルに準じた通信用のプログラムが記憶されている。
【００１７】
前記通信デバイスは、前記蓄電モジュール又は電源関連装置と通信する第１通信部と、第１装置又は第２装置と通信する第２通信部と、前記第２通信部にて前記第１装置から送信要求を受けた場合、前記第１通信部から得られる前記蓄電モジュール又は電源関連装置の状態を含む情報を前記第１装置へ前記第２通信部から送信する第１送信部とを備えてもよい。
【００１８】
上記構成により、各通信デバイスから前記蓄電モジュール及び電源関連装置の状態を含む情報が特定の第１装置によって収集される。収集された各蓄電モジュール及び電源関連装置の状態の提示が可能になるので、ユーザ又は保守担当者からは、システム毎又は場所毎の一括された情報の取得が可能になる。
【００１９】
前記通信デバイスは、前記第２通信部にて前記第２装置から送信要求を受けた場合、前記第１通信部から前記蓄電モジュール又は電源関連装置の状態を含む状態を取得し、取得した情報を表示させるための表示情報を前記Ｗｅｂ画面データに基づき作成し、作成した表示情報を前記第２装置へ前記第２通信部から送信する第２送信部を備えてもよい。
【００２０】
上記構成により、通信デバイスから蓄電モジュール又は電源関連装置夫々の状態情報の取得が可能になる。
【図面の簡単な説明】
【００２１】
【図１】本実施形態に係る監視システムの概要を示す図である。
【図２】通信デバイスの搭載例を示す模式図である。
【図３】通信デバイスの蓄電モジュール群への接続形態の一例を示す図である。
【図４】監視システムの構成を示すブロック図である。
【図５】通信デバイスの記憶部に記憶されているデバイスプログラムのプログラム構成を示す概要図である。
【図６】通信デバイスにおける処理手順の一例を示すフローチャートである。
【図７】サーバ装置のＷｅｂサーバ機能により提供される表示画面の一例を示す図である。
【図８】サーバ装置のＷｅｂサーバ機能により提供される表示画面の一例を示す図である。
【図９】寿命予測の依頼を受け付ける画面の例を示す図である。
【図１０】寿命予測により得られるデータの内容例を示す図である。
【図１１】通信デバイスから提示されるＷｅｂ画面の一例を示す図である。
【図１２】通信デバイスから提示されるＷｅｂ画面の一例を示す図である。
【図１３】通信デバイスから提示されるＷｅｂ画面の他の一例を示す図である。
【図１４】通信デバイスから提示されるＷｅｂ画面の一例を示す図である。
【図１５】通信デバイスから提示されるＷｅｂ画面の他の一例を示す図である。
【図１６】通信デバイスから提示されるＷｅｂ画面の一例を示す図である。
【図１７】通信デバイスから提示されるＷｅｂ画面の他の一例を示す図である。
【図１８】通信デバイスから提示されるＷｅｂ画面の一例を示す図である。
【発明を実施するための形態】
【００２２】
本発明をその実施の形態を示す図面を参照して具体的に説明する。
【００２３】
図１は、本実施形態に係る監視システム１００の概要を示す図である。監視システム１００は、監視対象のシステム又は装置の情報を収集するサーバ装置２（情報処理装置）と、収集された情報を取得するクライアント装置３（通信端末装置）とを含む。サーバ装置２はＷｅｂサーバ機能を含み、各装置について得られる情報を、クライアント装置３からのアクセスに応じて提示する。
【００２４】
監視システム１００の監視対象は、メガソーラー発電システムＳ及び火力発電システムＦ夫々に含まれている蓄電システム１０１である。蓄電システム１０１は、発電システムＳ，Ｆで得られる電力を蓄電する蓄電モジュール群Ｌと、発電システムＳ，Ｆで得られる電力を適切に変換し、蓄電モジュール群Ｌ又は電力供給先へ出力するパワーコンディショナ（ＰＣＳ：Power Conditioning System ）Ｐとを含む。監視システム１００は、蓄電システム１０１に含まれる蓄電モジュール群Ｌ、及びパワーコンディショナＰの状態について詳細な情報を取得して提示させる。
【００２５】
蓄電モジュール群Ｌは、発電システムＳ，ＦではコンテナＣに収容されている。コンテナＣでは、複数のリチウムイオン電池のセルを含んだ蓄電モジュールが複数取り付けられたラックが複数収容されている。監視システム１００の監視対象は、無停電電源装置（ＵＰＳ：Uninterruptible Power Supply）Ｕ、鉄道用の安定化電源システム等に配設されている整流器（直流電源装置、又は交流電源装置）Ｄ等の装置も含む。
【００２６】
監視システム１００では、サーバ装置２が情報を収集するために、又はクライアント装置３が情報を取得するために、各装置に通信デバイス１が搭載／接続されている。図２は、通信デバイス１の搭載例を示す模式図である。通信デバイス１は、蓄電素子に備えられる電池管理装置（ＢＭＵ：Battery Management Unit ）と通信して蓄電素子の情報を受信する端末装置（計測モニタ）であってもよいし、電源関連装置に接続可能なネットワークカード型のデバイスであってもよい。通信デバイス１は、無停電電源装置Ｕ、及び、安定化電源システムに含まれる直流電源装置又は交流電源装置である整流器Ｄの制御ユニットにも搭載／接続されている。蓄電システム１０１では、通信デバイス１は蓄電モジュール群Ｌの情報を取得すべく、複数の蓄電モジュールをまとめたグループ毎に１つずつに設けられている。パワーコンディショナＰは複数台でシリアル通信が可能に接続されており、通信デバイス１は、いずれか代表となるパワーコンディショナＰの制御ユニットに搭載／接続されている。
【００２７】
蓄電モジュール群Ｌに設けられている通信デバイス１について詳細に説明する。図３は、通信デバイス１の蓄電モジュール群への接続形態の一例を示す図である。蓄電モジュール群Ｌはシリアル通信が可能に接続されており、通信デバイス１は、いずれか代表となる蓄電モジュールに搭載された管理装置Ｍに接続されて各蓄電モジュールの情報を取得する。図３に示すように、蓄電モジュール群Ｌは、蓄電モジュールを複数直列に連結させたバンクと、バンクを複数並列に接続させたドメインとで構成されている。管理装置Ｍは、番号（＃）１からＮのバンク夫々、バンクを並列に接続したドメインの階層に各１つずつ設けられている。バンク毎に設けられている管理装置Ｍは、蓄電モジュールの内部に夫々内蔵されている通信機能付きの制御基板（ＣＭＵ：Cell Monitoring Unit）とシリアル通信によって通信し、蓄電モジュール及び各モジュールが収容するセルの状態（電流、電圧、温度）の取得、各々の状態に応じたバンク毎の出力バランスの調整、通信状態の異常の検知処理等の管理処理を実行する。バンクの管理装置Ｍは夫々、ドメイン単位で設けられている管理装置Ｍへ各々のバンクの蓄電モジュールの情報を送信する。ドメインの管理装置Ｍは、そのドメインに所属するバンクの管理装置Ｍから送信される情報を集約する。通信デバイス１は、ドメイン毎の管理装置Ｍからそれらの情報を収集し、サーバ装置２又はクライアント装置３へ直接的に提供することが可能である。
【００２８】
このように監視システム１００では、各装置に搭載させた通信デバイス１を利用し、蓄電システム１０１におけるＳＯＣ、ＳＯＨ（State Of Health ）等の状態、検知された異常といった情報を、サーバ装置２が収集し、収集されたデータが一括で提示される。監視システム１００は、一括提示と共に、各通信デバイス１への直接的な通信をも可能として各装置における最新の情報を個別にクライアント装置３から取得させることも可能とする。個別に取得される情報は、共通部分を含みつつも装置の種別に応じて異なる態様で表示される。
【００２９】
図４は、監視システム１００の構成を示すブロック図である。通信デバイス１は、制御部１０、記憶部１１、第１通信部１２及び第２通信部１３を備える。制御部１０はＣＰＵ（Central Processing Unit ）を用いたプロセッサであり、内蔵するＲＯＭ（Read Only Memory）及びＲＡＭ（Random Access Memory）等のメモリを用い、各構成部を制御して処理を実行する。
【００３０】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、Linux （登録商標）等を用いた組み込み系ＯＳ（Operating System）、ＯＳ上で動作するＷｅｂサーバ、ＳＳＨ（Secure Shell）、ＳＮＭＰ（Simple Network Management Protocol）等に準じた通信用プログラムが含まれる。デバイスプログラム１Ｐにはメーラプログラムが含まれてもよく、異常が発生した場合に、予め設定されてあるメールアドレスへ向けて電子メールが自動的に送信されるようにしてもよい。これらのプログラムは、制御部１０内蔵のメモリ（ＲＯＭ）に記憶されていてもよい。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。
【００３１】
第１通信部１２は、通信デバイス１が接続されている装置（監視対象装置）との通信を実現する通信インタフェースであり、例えばＲＳ−２３２Ｃ又はＲＳ−４８５等のシリアル通信インタフェースを用いる。例えば蓄電モジュール群Ｌに含まれる各蓄電モジュールは、ＲＳ−２３２Ｃに準拠した通信機能を有する制御基板を内蔵し、第１通信部１２は複数の蓄電モジュールと通信してもよい。蓄電モジュールは出力電圧及び電流値の測定センサ、及び温度センサを備え、制御基板はそれらのセンサから得られる測定値を通信デバイス１へ送信する。制御基板は更に異常検知機能を有し、異常を検知した場合に自身の動作を停止させたり、通信デバイス１へ通知したりしてもよい。
【００３２】
第２通信部１３は、ネットワークＮを介した通信を実現するインタフェースであり、例えばEthernet（登録商標）、又は無線通信用アンテナ等の通信インタフェースを用いる。制御部１０は、第２通信部１３を介してサーバ装置２と通信接続が可能である。
【００３３】
このように構成される通信デバイス１では、制御部１０が第１通信部１２を介して、通信デバイス１が搭載されている装置にて得られる状態情報を含む各種情報を取得する。制御部１０は、Ｗｅｂサーバ用プログラムを読み出して実行することによって、Ｗｅｂサーバとしてサーバ装置２又はクライアント装置３からの接続を受け、情報を提示することも可能である。制御部１０は、ＳＳＨにより遠隔からシャットダウンの機能を受けることが可能である。制御部１０は、ＳＮＭＰ用プログラムを読み出して実行することにより、ＳＮＭＰエージェントとして機能し、サーバ装置２からの情報要求に対して応答してもよい。
【００３４】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させた構成としてもよい。
【００３５】
制御部２０は、ＣＰＵを用いたプロセッサであり、内蔵するＲＯＭ及びＲＡＭ等のメモリを用い、各構成部を制御して処理を実行する。制御部２０は、記憶部２１に記憶されているサーバプログラム２Ｐに基づく情報処理を実行する。サーバプログラム２ＰにはＷｅｂサーバプログラムが含まれ、制御部２０は、クライアント装置３へのＷｅｂページの提供、Ｗｅｂサービスへのログインの受け付け等を実行するＷｅｂサーバとして機能する。制御部２０は、サーバプログラム２Ｐに基づき、ｈｔｔｐ／ｈｔｔｐｓ通信により通信デバイス１から情報の収集を行なう。
【００３６】
記憶部２１は、例えばハードディスク又はフラッシュメモリ等の不揮発性メモリを用いる。記憶部２１には、上述したサーバプログラム２Ｐが記憶されているほか、制御部２０の処理によって収集される監視対象となるパワーコンディショナＰ、蓄電モジュール群Ｌ、無停電電源装置Ｕ及び整流器Ｄの状態を含むデータを記憶する。
【００３７】
通信部２２は、ネットワークＮを介した通信接続及びデータの送受信を実現する通信デバイスである。具体的には通信部２２は専用線及び一般光回線に対応した通信機器である。
【００３８】
クライアント装置３は、発電システムＳ，Ｆの蓄電システム１０１の管理者、安定化電源システムの管理者、又は無停電電源装置Ｕの保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００３９】
制御部３０は、ＣＰＵを用いたプロセッサである。制御部３０は、記憶部３１に記憶されているＷｅｂブラウザプログラムに基づき、サーバ装置２又は通信デバイス１により提供されるＷｅｂページを表示部３３に表示させる。
【００４０】
記憶部３１は、例えばハードディスク又はフラッシュメモリ等の不揮発性メモリを用いる。記憶部３１には、Ｗｅｂブラウザプログラムを含む各種プログラムが記憶されている。
【００４１】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２又は通信デバイス１との間で通信接続又は情報の送受信が可能である。
【００４２】
表示部３３は、液晶ディスプレイ、有機ＥＬ（Electro Luminescence）ディスプレイ等のディスプレイを用いる。表示部３３は制御部３０のＷｅｂブラウザプログラムに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４３】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部２０へ通知する。
【００４４】
図１に示すようにネットワークＮは、所謂インターネットである公衆通信網Ｎ１と、所定の移動通信規格による無線通信を実現するキャリアネットワークＮ２とを含む。公衆通信網Ｎ１は、一般光回線を含み、またネットワークＮは、サーバ装置２が接続する専用線を含む。キャリアネットワークＮ２には基地局ＢＳが含まれ、クライアント装置３は基地局ＢＳからネットワークＮを介したサーバ装置２との通信を可能とする。公衆通信網Ｎ１にはアクセスポイントＡＰが接続されており、クライアント装置３はアクセスポイントＡＰからネットワークＮを介してサーバ装置２との間で情報を送受信することも可能である。
【００４５】
監視システム１００では、サーバ装置２がパワーコンディショナＰ、蓄電モジュール群Ｌ、無停電電源装置Ｕ、及び整流器Ｄの状態を含む様々な情報を定期的に、又はクライアント装置３からの要求に応じて取得し、記憶部２１に記憶する。記憶部２１に記憶してある最新のデータ及びその履歴は、クライアント装置３からＷｅｂページ又はデータ（ダウンロード）として取得できるようにサーバ装置２が処理する。サーバ装置２が提供する情報には、パワーコンディショナＰ、蓄電モジュール群Ｌ（管理装置Ｍ）、無停電電源装置Ｕ、及び整流器Ｄに搭載されている通信デバイス１が提供するＷｅｂサーバへの接続情報（ＵＲＬ：Uniform Resource Locator、ＩＰアドレス等）が含まれる。クライアント装置３は、通信デバイス１から提供されるＷｅｂページにより、パワーコンディショナＰ、蓄電モジュール群Ｌ、無停電電源装置Ｕ、及び整流器Ｄの情報を取得することができる。
【００４６】
通信デバイス１から提供されるＷｅｂページは、システム又は装置毎に、共通要素を含みつつも、提示されている情報の対象装置の種別に応じて異なる態様で表示される。具体的には、システム又は装置毎にＷｅｂページに含まれるアイテム（アイコン、又は画像等のオブジェクト）の配色及び配置は共通しているが、ベースとなる色、及び図柄が異なる態様で表示される。これにより、通信デバイス１からの情報がサーバ装置２によって収集され、サーバ装置２からシステム毎又は場所毎に一括して情報が提示されると共に、いずれの種別の装置の個別状態が提示されているかが、クライアント装置３を使用するオペレータ（保守担当者）又はユーザによって視覚的に容易に把握される。
【００４７】
図５は、通信デバイス１の記憶部１１に記憶されているデバイスプログラム１Ｐのプログラム構成を示す概要図である。デバイスプログラム１Ｐは前述したように、Linux （登録商標）等を用いた組み込み系ＯＳプログラム１０Ｐ、ＯＳ上で動作するＷｅｂサーバ用プログラム１１Ｐのほか、ＳＳＨ、及びＳＮＭＰ等に準じた通信用プログラム１２Ｐを含む。デバイスプログラム１Ｐは、これらのプログラムを共通部分として含む。そしてデバイスプログラム１Ｐは、パワーコンディショナＰ、管理装置Ｍ、無停電電源装置Ｕ、及び整流器Ｄの内のいずれの装置に接続されるかに応じて個別に読み出される個別部分を含む。個別部分は、各装置固有の通信プロトコル用の通信プログラム１３Ｐ、Ｗｅｂ画面データ（デザインデータ、素材画像データ、画面遷移情報を含む）１４Ｐ、及び外部連携用プログラム１５Ｐを含む。
【００４８】
通信プログラム１３Ｐは、対象の装置との通信を行なうためのプロトコル（ＲＳ−２３２Ｃなのか、ＲＳ−４８５なのか、あるいはＵＳＢなのか等のシリアル通信プロトコル又は他の信号入出力）と、そのプロトコルで通信される信号を解釈するためのプログラム（ステータスコード等）を含む。プロトコルは各装置固有であり、テーブル化されて記憶部１１に記憶されており、通信プログラム１３Ｐにより読み出し可能とされていてもよい。
【００４９】
Ｗｅｂ画面データ１４Ｐは、対象の装置によって異なるデザインデータ、素材画像データ、及び画面遷移情報を含む。蓄電モジュール群Ｌの管理装置Ｍに接続される通信デバイス１には、充電状態等の状態情報とエラー情報等を表示するためのＷｅｂ画面データ１４Ｐが記憶されている。パワーコンディショナ（ＰＣＳ）Ｐに搭載されている通信デバイス１には、充電中なのか、放電中なのか、売電中なのか買電中なのかなどの状態情報とエラー情報を表示するためのＷｅｂ画面データ１４Ｐが記憶されている。無停電電源装置（ＵＰＳ）Ｕに搭載されている通信デバイス１には、状態情報、エラー情報を示す画面、遠隔からの操作を受け付ける画面を表示するためのＷｅｂ画面データ１４Ｐが記憶されている。本実施形態の通信デバイス１から提供されるＷｅｂ画面は、配色、レイアウト等は共通としつつ、その画面に含まれる画像、図柄、又は色などを含むアイテムがその装置の種別毎に異なる。表示されるＷｅｂ画面の装置毎の相違については後述する。
【００５０】
外部連携用プログラム１５Ｐは、パワーコンディショナＰ用であれば例えば電力サーバと連携するためのクライアントプログラムであり、無停電電源装置Ｕ用であれば既存のシャットダウンプログラムと連携するためのプログラムである。整流器Ｄ、蓄電モジュール群Ｌ用にも個別のプログラムが用意されていてもよいし、対象の装置によっては外部連携用プログラム１５Ｐが実行されない、又は記憶されていない構成としてもよい。
【００５１】
図６は、通信デバイス１における処理手順の一例を示すフローチャートである。通信デバイス１の制御部１０は、第２通信部１３によりサーバ装置２又はクライアント装置３からの通信イベントを検知する都度、以下の処理を開始する。
【００５２】
制御部１０は、通信イベントがサーバ装置２からの送信要求であるか否かを判断する（ステップＳ１０１）。サーバ装置２からの送信要求であると判断された場合（Ｓ１０１：ＹＥＳ）、制御部１０は第１通信部１２により、接続されている装置から最新の情報を取得するか、予め取得して一時的に記憶してある情報を読み出して取得する（ステップＳ１０２）。制御部１０は、取得した状態等の各種情報を第２通信部１３からサーバ装置２宛てに送信し（ステップＳ１０３）、処理を終了する。制御部１０は、ステップＳ１０１にて送信要求を受信せずとも、予め設定されたスケジュール（１０分、３０分、１時間毎など）に従って、第１通信部１２により取得した情報を送信するようにしてもよい。
【００５３】
ステップＳ１０１にて通信イベントが送信要求でないと判断された場合（ステップＳ１０１：ＮＯ）、通信イベントはクライアント装置３からの接続要求であり、制御部１０は、第１通信部１２により接続されている装置から状態情報を含む最新の情報を取得する（ステップＳ１０４）。制御部１０は、取得した最新の情報を含むＷｅｂページを作成（Ｗｅｂページに含まれるデータを更新）し（ステップＳ１０５）、作成したＷｅｂページのデータを要求元のクライアント装置３へ第２通信部１３から送信する（ステップＳ１０６）。
【００５４】
制御部１０は、クライアント装置３におけるＷｅｂページ上での操作を通信により取得して受け付け（ステップＳ１０７）、操作に応じてＷｅｂページを更新する（ステップＳ１０８）。制御部１０は、クライアント装置３の操作部３４にてログアウト又はＷｅｂブラウザの終了操作が行なわれたか否かを判断し（ステップＳ１０９）、ログアウト又は終了操作が行なわれたと判断された場合（Ｓ１０９：ＹＥＳ）、処理を終了する。ログアウト又は終了操作が行なわれていないと判断された場合（Ｓ１０９：ＮＯ）、制御部１０は処理をステップＳ１０７へ戻し、操作の受け付けを続行する。
【００５５】
通信デバイス１から提供されるＷｅｂページは、サーバ装置２のＷｅｂサーバ機能により提供される表示画面に含まれる接続情報（ＵＲＬ）が対応付けられたアイコンの選択により表示される。図７及び図８は、サーバ装置２のＷｅｂサーバ機能により提供される表示画面の一例を示す図である。図７は、監視システム１００へのログイン後に表示される画面例を示し、図８は１つのシステムが選択された後に表示される画面例である。
【００５６】
クライアント装置３からのログイン要求に応じてサーバ装置２の制御部２０は、ログインページの情報をクライアント装置３へ送信する。クライアント装置３では、ログインページを表示部３３に表示し、操作部３４での操作に基づきログイン情報を受け付け、サーバ装置２へ送信する。これによりサーバ装置２は、ログイン情報によって閲覧可能なシステム又は装置を抽出し、その名称を含むＷｅｂ画面３３０の情報をクライアント装置３へ送信する。図７はこの際のＷｅｂ画面３３０の一例である。図７の例では、図１に示したメガソーラー発電システムＳの名称「ＸＹ市メガソーラーシステム」、火力発電システムＦの名称「ＷＺ発電所システム」、「Ｋ鉄道システム」、「Ｘ工場ＵＰＳ」等が夫々、識別情報と共にリンクとして表示されている。一覧のＷｅｂ画面には、各システムのその時点における状態（正常／異常）、各システムにおける測定パラメータのグラフ、システムに使用される蓄電モジュールの寿命予測を各出力するためのアイコンが現状把握又は情報分析として含まれている。
【００５７】
図７に示すように、サーバ装置２から提供されるＷｅｂページに基づき表示されるＷｅｂ画面３３０には、「システム検索」、「寿命予測」、「ダウンロード」、「レポート」等のメニュー３３１が含まれる。メニュー３３１の内、「システム検索」が選択された場合、アクセス権限を有するシステム又は単体装置の各情報へのリンク情報の一覧を含むページ（図７に戻る）が表示される。「寿命予測」がクライアント装置３の操作部３４の操作により選択された場合、選択されるシステムにおける蓄電素子の寿命予測の実行を受け付けるページが表示される。「ダウンロード」が選択された場合、選択されるシステムに含まれる各機器、蓄電モジュール群Ｌの状態を所定の形式にてファイルとして一括取得するためのページが表示される。「レポート」が選択された場合、サーバ装置２自身の情報、サーバ装置２で取得される情報を文書形式にて取得するためのページが表示される。また「新規登録」が選択された場合、ログイン情報の新規登録、蓄電モジュール群Ｌを含むシステム又は電源関連装置の新規登録を受け付けるためのページが表示される。「編集」が選択された場合、既に登録されているログイン情報の編集、又は、既に登録されているシステム若しくは装置の情報についての編集を受け付けるためのページが表示される。更にＷｅｂ画面３３０には、ログアウト又は終了操作のためのボタン３３２が含まれている。
【００５８】
図８は、システム毎に各装置の情報が一括して含まれている画面の一例を示している。図８は、図７に表示されたＷｅｂ画面３３０で「ＸＹ市メガソーラーシステム」が選択された場合に表示部３３に表示される例を示している。図８の画面例では、「ＸＹ市メガソーラーシステム」が用いている蓄電システム１０１のシステム構成に合わせて、４つのパワーコンディショナＰ、及び、複数のバンクに構成された蓄電モジュール群Ｌ夫々の名称（番号等の識別情報）が示されている。蓄電モジュール群Ｌについてはその階層構造を展開するための「＋」アイコン３３３と、各々の詳細情報（サーバ装置２で収集した情報）を表示するためのアイコン３３４と、詳細情報（リアルタイム）を表示させるためのアイコン３３５とが配置されている。このアイコン３３５が、通信デバイス１にて動作しているＷｅｂサーバへ接続するためのアイコンであり、通信デバイス１の識別情報と共に配置されている。
【００５９】
図８に示したように、選択されたシステム毎に一括表示するＷｅｂ画面３３０には、選択されたシステムに対するメニューアイコン３７０が含まれる。メニューアイコン３７０は例えば、「異常履歴」、「統計情報」、「寿命予測」、及び「装置一覧」のメニューを含む。「異常履歴」のメニューアイコンがクライアント装置３の操作部３４の操作により選択された場合、対象のシステム全体に含まれる蓄電モジュール群Ｌ及び電源関連装置にて検知された異常又は注意（警告）ログが一括して表示される。「統計情報」が選択された場合は、対象のシステム全体についての統計情報（電圧、電流、温度等の推移）のグラフが一括して表示される。「寿命予測」が選択された場合、システム全体又はシステムに含まれる各蓄電モジュール群Ｌに対する寿命予測の結果を得るためのインタフェースが表示される。「寿命予測」については詳細を後述する。「装置一覧」が選択された場合、システムに含まれているパワーコンディショナＰ、蓄電モジュール群Ｌ、及び該蓄電モジュール群Ｌに搭載されている管理装置Ｍ等について装置の一覧が表示される。装置の一覧には、品名、型番等の詳細情報が含まれていてもよい。
【００６０】
図８に示したＷｅｂ画面３３０にて蓄電システム１０１に対する寿命予測のメニューが選択された場合の処理について説明する。図９は、寿命予測の依頼を受け付ける画面の例を示す図である。図９は、図８中のメニューアイコン３７０の内の「寿命予測」が選択された場合に表示される画面である。図９の画面３３０では、再度寿命予測の依頼を受け付けるアイコン３７１、負荷パターンの抽出依頼を受け付けるアイコン３７２及び依頼を受け付けた日にち及び状況を示す表示ボックス３７３を表示する。サーバ装置２では上述したように蓄電モジュール群Ｌから定期的に情報（電圧、電流、及び温度）を収集している。サーバ装置２は収集した情報に基づきシステムとしての寿命予測・推定を行なう機能を有する。寿命予測の依頼を受け付けるアイコン３７１が選択された場合、サーバ装置２の制御部２０は選択を検知し、寿命予測の演算（シミュレーション）を実行する。演算自体はサーバ装置２内で実行されてもよいが、サーバ装置２とは異なる専用装置、若しくは専用装置群で分散的に実行されるとよい。寿命予測の演算（シミュレーション）に要する時間は、収集されてある情報の量が多い程長く、例えば１から２時間を要する可能性がある。図９に示す画面３３０は、寿命予測の演算が開始された場合、表示ボックス３７３に依頼を受け付けた日時及び演算状況を示すテキストを表示し、他のページへ遷移することができる。上述のように演算には時間を要するので、実行中に寿命予測の受け付け画面で画面３３０が固定されてしまい、他の機能がその間使用できなくなることを回避するためである。サーバ装置２は、寿命予測の演算が完了すると、メニューアイコン３７０の内の「寿命予測」が選択された場合に表示される画面の表示ボックス３７３に、演算が終了した日時及び状況を示すテキスト「完了」を表示させ、演算結果のファイルをダウンロードするためのアイコンを表示させる。このアイコンがクライアント装置３の操作部３４により選択されると、クライアント装置３へ演算結果のファイルがＷｅｂブラウザ経由で送信される。サーバ装置２は寿命予測の演算が完了すると、予め記憶してあるメールアドレスに向けて演算が完了したことを通知する。途中経過をメールにて通知するようにしてもよい。メールには寿命予測の演算結果のファイルが添付されているとよい。
【００６１】
図１０は、寿命予測により得られるデータの内容例を示す図である。寿命予測により得られるデータは、図１０に示すように例えば使用開始から所定の期間（例えば１０年間）後までの蓄電素子の劣化挙動をグラフ化したもの、所定の期間中における充放電の挙動（電力、温度、電圧、電流）のシミュレーション結果をグラフ化したものを含む。その他寿命予測により得られるデータは、シミュレーション結果である関連するパラメータについての期間中の数値の推移、及び詳細な分析結果を含む。このように、総合的に表示されるＷｅｂ画面から、サーバ装置２にて収集される情報に基づくシステム毎の寿命予測の結果を得ることができる。寿命予測演算中は他の機能を停止することもなく、長期間の実績データの演算により精度のよい結果を得ることも可能である。
【００６２】
通信デバイス１のＷｅｂサーバ機能により提示されるＷｅｂ画面について具体例を示して説明する。着目すべきは、各々の通信デバイス１により提示されるＷｅｂ画面が接続されている装置（表示すべき内容）の種別に応じてデザインに共通性がありつつも、表示される文字情報のみならず背景色、アイコン（素材画像）が異なる態様とした点である。
【００６３】
図１１は、通信デバイス１から提示されるＷｅｂ画面の一例を示す図である。図１１は、図８中の蓄電モジュール群Ｌについてのドメインの階層のアイコン３３５が選択された場合に表示される画面であり、蓄電モジュール群Ｌの管理装置Ｍに接続されている通信デバイス１のＷｅｂサーバにより提供される新たなＷｅｂ画面３３６を示している。Ｗｅｂ画面３３６にて表示される情報は、蓄電モジュール群Ｌ用に個別に記憶してあるＷｅｂ画面データ１４Ｐに基づき出力されている。図１１に示す通信デバイス１から提供されるＷｅｂ画面３３６を表示するためにはログインが必要になる。このときのログイン情報はサーバ装置２で提供されるＷｅｂサーバへのログインと共通としてあり、これにより改めてログイン情報を入力する操作を行なうことなしに自動的にログインされて表示されることが好ましい。
【００６４】
図１１に示す例において通信デバイス１は、ドメインの階層に設けられている管理装置Ｍ、又は各バンクに設けられている管理装置Ｍを介し、各蓄電モジュールに搭載されている制御基板から得られる情報をクライアント装置３へ提供する。図１１の例に示すように蓄電モジュール群Ｌの情報を表示するためのＷｅｂ画面３３６には、ドメイン全体でのステータスを示す「全体ステータス」、充電状態を示す「充電状態（ＳＯＣ）」、充放電状態を示す「電池電流」の項目を示す文字情報が含まれている。Ｗｅｂ画面３３６には、各々の項目の状態を視覚的に示す図柄が含まれている。具体的には「全体ステータス」には「チェックマーク（正常）」、「充電状態（ＳＯＣ）」には「電池」、「電池電流」には「稲光」の図柄が対応付けられている。図柄は状態に応じて変化するようにしてあり、「全体ステータス」が異常である場合には「チェックマーク」の代わりに「エクスクラメーションマーク（感嘆符マーク）」が表示され、不明である場合には「クエスチョンマーク（疑問符マーク）」が表示される。「電池」の図柄については、充電状態に応じて枠内に含まれる矩形の数が変化する。満充電状態であれば図１１に示すように枠内を満たすような数、充電量が少ない状態である場合には１つなどのように視覚的に充電状態が把握可能に表示される。「電池電流」については、充電中である場合には、文字情報が「放電中」の代わりに「充電中」となる。「稲光」の図柄の色が変化するようにしてもよい。
【００６５】
Ｗｅｂ画面３３６は、蓄電モジュール群Ｌの階層に応じて表示される内容も変えられる。ドメインの階層に対応する管理装置Ｍに接続されている通信デバイス１から提供され、表示部３３に表示されるＷｅｂ画面３３６は図１１に示すように、「全体ステータス」の項目を含む。「全体ステータス」は、本実施の形態の例ではそのドメインに含まれるバンクの総数に対して正常に稼働しているバンクの数が所定の割合以上であるか否かを示しているので、バンクの階層に対応する管理装置Ｍに接続されている通信デバイス１から提供されるＷｅｂ画面３３６には、「全体ステータス」の項目は含まれない。「充電状態（ＳＯＣ）」については、ドメインの階層に対応する通信デバイス１から提供されるＷｅｂ画面３３６には、そのドメインに含まれている複数のバンクの充電量の平均値が示される。バンクの階層に対応する通信デバイス１から提供されるＷｅｂ画面３３６には、バンクの充電量が示される。「電池電流」は、ドメインの階層に対応する通信デバイス１から提供されるＷｅｂ画面３３６には、そのドメインに含まれている複数のバンクからの総電流量を示す文字情報が表示される。バンクの階層に対応する通信デバイス１から提供されるＷｅｂ画面３３６には、そのバンクからの電流量を示す文字情報が表示される。
【００６６】
蓄電モジュール群Ｌの情報を表示するためのＷｅｂ画面３３６には、メニューアイコン３３７が複数含まれている。複数のメニューアイコン３３７は例えば夫々、通信デバイス１を介して得られる上述したような異常の情報を含む各種情報を表示するためのメニューを含む。またメニューアイコン３３７は、通信デバイス１における時刻、通知用のメールアドレス等の設定、ネットワーク設定、ＳＮＭＰに関する設定、シリアル通信を介した制御に関する設定、又は通信デバイス１の再起動（シャットダウン）のためのメニューを含む。Ｗｅｂ画面３３６は、ログイン情報に応じて内容が異なる。保守担当者権限を有するログイン情報により表示されるＷｅｂ画面３３６のメニューアイコン３３７には、接続されている管理装置Ｍの設定及びアップデート処理、パスワードの設定、遠隔操作のための設定、並びにログの間隔等の設定メニュー等が含まれる。
【００６７】
通信デバイス１では、記憶されている画面データ１４Ｐに基づき、クライアント装置３の操作部３４により、Ｗｅｂ画面３３６上でこれらのメニューアイコン３３７等、各種アイコンの選択操作に応じて、Ｗｅｂ画面３３６が遷移する。メニューの選択に応じて、詳細情報の表示画面、設定の入力画面等が表示される。
【００６８】
図１２は、通信デバイス１から提示されるＷｅｂ画面の一例を示す図である。図１２は、図１１のメニューアイコン３３７の内、詳細情報を表示するためのアイコンが選択された場合に表示される画面例である。図１２に示すようにメニューアイコン３３７が選択されると、Ｗｅｂ画面３３６に重畳するようなエフェクトで画面３３８が表示されると共に、図１１のＷｅｂ画面３３６に戻るためのアイコン３３９が表示される。画面３３８には、詳細情報として、通信デバイス１が接続している管理装置Ｍに対応するドメインのリアルタイムの詳細情報が表示される。詳細情報は例えば、ドメインに含まれるバンクの数（総バンク数）、全バンク中で稼働しているバンクの数（ＯＮバンク数）、そのドメインのセル電圧、ＳＯＣ、総電圧、温度、及び電流の最小値、平均値及び最高値を表示している。詳細情報では、管理装置Ｍ又はモジュール毎の制御基板が有する自己診断機能により注意情報又は異常検知結果が出力されている場合は、内容を表わすメッセージ及び対応する異常コードが表示されているとよい。詳細情報の画面３３８では、ドメインの階層の下のバンクの階層における状態が各バンクの番号等の識別情報を付した図柄で表されている。色、明るさ又は模様にてその状態を区別して表示してもよい。図１２の例であれば、＃１７から＃２０のバンクは稼働していないので例えばグレーで表示される。また各バンクに対応する図柄が画面３３８で操作部３４により選択された場合、リンクが付与されており、画面３３８内でバンクの詳細情報の表示に切り替えられる。バンクの情報を表示する画面では各蓄電モジュールの詳細情報へのリンクを含むとよい。
【００６９】
その他、選択されるメニューの内容によっては、イベントログの一覧が表示されたり、通信デバイス１及び管理装置Ｍのアドレス、機器の固有情報、設定されている通知用のメールアドレスを含む設定情報が表示されたり、ＳＮＭＰの接続情報が表示されたりしてもよい。
【００７０】
図１３は、通信デバイス１から提示されるＷｅｂ画面の他の一例を示す図である。図１３は、図８中のパワーコンディショナ（ＰＣＳ）Ｐに対応するアイコン３３５が選択された場合に表示される画面であり、パワーコンディショナＰに接続されている通信デバイス１のＷｅｂサーバにより提供される新たなＷｅｂ画面３４１を示している。Ｗｅｂ画面３４１にて表示される情報は、パワーコンディショナＰ用に個別に記憶してあるＷｅｂ画面データ１４Ｐに基づき出力されている。図１３に示す通信デバイス１から提供されるＷｅｂ画面３４１に表示するためにもログインが必要になる。このときのログイン情報はサーバ装置２で提供されるＷｅｂサーバへのログインと共通としてあり、これにより改めてクライアント装置３にてログイン情報を入力する操作を行なうことなしに自動的にログインされて表示される。
【００７１】
図１３に示す例において通信デバイス１は、シリアル接続されているパワーコンディショナＰ（図１４の例では４つ）の制御ユニットから得られる情報をクライアント装置３へ提供する。図１３に示すように、パワーコンディショナＰの情報を表示するためのＷｅｂ画面３４１には、パワーコンディショナＰに接続されている発電システムにおけるリアルタイムの発電電力を示す「発電電力」、パワーコンディショナＰ群全体での状態を示す「ＰＣＳ状態」の項目を示す文字情報が含まれている。Ｗｅｂ画面３４１には更に、パワーコンディショナＰ（複数接続している内の親機となるＰＣＳ）の総合交流電力（正）と総合交流電力（負）の大小（売電中／買電中）を示す「交流電力」の項目を示す文字情報が示されている。各項目には図１３に示すように、夫々の項目における状態を視覚的に示す図柄が含まれている。具体的には「発電電力」には「太陽（発電電力の合計値が最大値に対して所定割合以上）」、「ＰＣＳ状態」には「チェックマーク（正常）」、「交流電力」には「天秤」の図柄が対応付けられている。図柄は状態に応じて変化するようにしてあり、「発電電力」が最大値に対して所定割合未満である場合には「太陽」の代わりに「雲」が表示され、不明である場合には「クエスチョンマーク」が表示される。「ＰＣＳ状態」が異常である場合には「チェックマーク」の代わりに「エクスクラメーションマーク」が表示され、不明である場合には「クエスチョンマーク」が表示される。マークの色も、緑色又は青色等の寒色系から黄色又は赤色等の暖色系へ、状態に応じて変化するとよい。「天秤」の図柄については、総合交流電力（正）が総合交流電力（負）よりも大きい場合に「売電中」、小さい場合に「買電中」であるといった表示がされる。また「発電電力」の項目には、具体的な発電電力のリアルタイムな数値、「ＰＣＳ状態」には「正常」又は「異常」の文字情報、「交流電力」には総合交流電力（正）と総合交流電力（負）との間の差分（絶対値）が表示される。
【００７２】
Ｗｅｂ画面３４１には、パワーコンディショナＰの設置場所（又は、含まれるシステム名）が表示され、出力制御の割合、温度等の情報が文字情報として表示されている。接続される蓄電モジュール群Ｌの充電状態について図柄と共にＷｅｂ画面３４１内に表示されてもよい。
【００７３】
図１３に示すように、パワーコンディショナＰの情報を表示するためのＷｅｂ画面３４１には、メニューアイコン３４２が複数含まれている。複数のメニューアイコン３４２は例えば夫々、通信デバイス１を介して得られる上述したような異常の情報を含む各種情報を表示するためのメニューを含む。またメニューアイコン３４２は、クライアント装置３にて通信デバイス１における時刻、通知用のメールアドレス等の設定、ネットワーク設定、ＳＮＭＰに関する設定、シリアル通信を介した制御に関する設定、又は通信デバイス１の再起動（シャットダウン）を実行するためのメニューを含む。Ｗｅｂ画面３４１は、ログイン情報に応じて内容が異なる。保守担当者権限を有するログイン情報により表示されるＷｅｂ画面３４１のメニューアイコン３４２には、出力制御の設定、出力制御スケジュールの設定、契約容量の確認、余剰買取の設定、又はパスワードの設定メニュー等が含まれる。
【００７４】
パワーコンディショナＰに関するＷｅｂ画面３４１においても、クライアント装置３の操作部３４によるメニューアイコン３４２の選択操作に応じて、画面が遷移する。パワーコンディショナＰについてのＷｅｂ画面３４１では、メニューの選択に応じて、詳細情報の表示画面、設定の入力画面等が表示される。
【００７５】
図１４は、通信デバイス１から提示されるＷｅｂ画面の一例を示す図である。図１４は、図１３のメニューアイコン３４２にて、詳細情報、即ち複数のパワーコンディショナＰ夫々についての詳細情報を示すためのメニューが選択された場合に表示される画面例である。Ｗｅｂ画面３４１が他の内容へ変化した場合、図１３のＷｅｂ画面３４１に戻るためのアイコン３４３が表示される。そして図１４に示すようにメニューアイコン３４２が選択されると、Ｗｅｂ画面３４１には通信デバイス１からシリアル通信接続しているパワーコンディショナＰ夫々に対応するアイコン３４４が表示される。各アイコン３４４にはパワーコンディショナＰを識別する番号等の識別情報が付されており、各パワーコンディショナＰの状態に応じて表示態様が異なる。図１４であれば例えば、稼働しているパワーコンディショナＰ（＃１から＃４）に対応するアイコンは、実線及び無地で表示されている。稼働していないパワーコンディショナＰに対応するアイコン３４４は実線且つグレー色で（図中ではハッチングで示している）表示されている。警告状態、異常が検知された状態では無地の色を黄色、赤色など視覚的に把握し易く変化させるとよい。最大２０台のパワーコンディショナＰをシリアル通信接続することができるところ、接続されていないパワーコンディショナＰに対応するアイコン３４４は破線にて表示されている。シリアル通信接続されているが、実際に通信できない場合にはクエスチョンマークが付されているなど、状態に応じて態様が変化するとよい。各アイコン３４４には、対応するパワーコンディショナＰ個別の詳細情報（警告状態又は異常検知状態である場合に異常コード）を示す画面へのリンクが付与されており、選択されると画面３４１内でパワーコンディショナＰの詳細情報の表示に切り替えられる。
【００７６】
選択されるメニューの内容によっては、イベントログの一覧が表示されたり、通信デバイス１及び管理装置Ｍのアドレス、機器の固有情報、設定されている通知用のメールアドレスを含む設定情報が表示されたり、ＳＮＭＰの接続情報が表示されたりしてもよい。
【００７７】
図１５は、通信デバイス１から提示されるＷｅｂ画面の他の一例を示す図である。図１５は、無停電電源装置Ｕに接続されている通信デバイス１のＷｅｂサーバにより提供される新たなＷｅｂ画面３５１を示している。Ｗｅｂ画面３５１にて表示される情報は、無停電電源装置（ＵＰＳ）Ｕ用に個別に記憶してあるＷｅｂ画面データ１４Ｐに基づき出力される。図１５に示す通信デバイス１から提供されるＷｅｂ画面３５１をクライアント装置３にて表示するためにもログインが必要になる。ログイン情報はサーバ装置２で提供されるＷｅｂサーバへのログインと共通としてあり、これによりクライアント装置３にて改めてログイン情報を入力する操作を行なうことなしに自動的にログインされて表示される。
【００７８】
通信デバイス１は、接続されている無停電電源装置Ｕの制御ユニットから得られる情報をクライアント装置３へ提供する。図１５に示すように、無停電電源装置Ｕの情報をクライアント装置３にて表示するためのＷｅｂ画面３５１には、装置自体の状態を示す「ＵＰＳ状態」、装置のＯＮ又はＯＦＦを示す「出力状態」、内蔵するバッテリの充電状態を示す「バッテリ状態」の項目を示す文字情報が含まれている。そして各項目には図１５に示すように、状態を視覚的に示す図柄が含まれている。具体的には「ＵＰＳ状態」には「ＯＫの文字をデザイン化したスマイルマーク」、「出力状態」には「電球」の図柄、「バッテリ状態」には「電池」の図柄が対応付けられている。図柄は状態に応じて変化するようにしてあり、「ＵＰＳ状態」に対しては、注意を要する状態である場合には「スマイルマーク」が「エクスクラメーションマーク」へ変化したり、異常状態である場合には、注意喚起を想起させる三角形の図柄になるなど形状が変化したりする。マークの色も、緑色又は青色等の寒色系から黄色又は赤色等の暖色系へ状態に応じて変化するとよい。「出力状態」については「電球」の図柄が、ＯＮ状態では「点灯中」を表わす文字、色、又は模様となり、ＯＦＦ状態では「消灯中」を表わす、文字、色、又は模様となるように変化する。「充電状態」については、満充電状態であれば枠内に含まれる矩形の数が枠内を満たすような数となり、充電量が少ない状態である場合には１つなどのように視覚的に充電状態が把握可能に表示される。充電中には稲光など充電中であることを示す図柄が表示され、放電中には上下にグラデーション化された模様などで放電状態を想起させる図柄が表示されるとよい。
【００７９】
Ｗｅｂ画面３５１には、クライアント装置３にて操作を受け付けるためのメニューアイコン３５２が複数含まれている。複数のメニューアイコン３５２は例えば夫々、通信デバイス１を介して得られる上述したような異常の情報を含む各種情報を表示するためのメニューを含む。またメニューアイコン３５２は、クライアント装置３にて通信デバイス１における時刻、通知用のメールアドレス等の設定、ネットワーク設定、ＳＳＨ若しくはＳＮＭＰに関する設定、シリアル通信を介した制御に関する設定、又は通信デバイス１の再起動（シャットダウン）を実行するための設定系メニューを含む。設定系メニューには、無停電電源装置Ｕの自動シャットダウン時における遅延時間の設定用メニューも含まれる。メニューアイコン３５２は、無停電電源装置Ｕを遠隔からシャットダウン（再起動）させたり、内蔵バッテリのテストをさせたりするための制御系メニューを含む。メニューアイコン３５２は、ログイン情報に応じて内容が異なる。保守担当者権限を有するログイン情報により表示されるＷｅｂ画面３５１のメニューアイコン３５２には、ファームウェアのアップデート処理、パスワードの設定等の設定メニューが含まれる。
【００８０】
図１６は、通信デバイス１から提示されるＷｅｂ画面の一例を示す図である。図１６は、図１５のメニューアイコン３５２の内、自動シャットダウンに係る設定用メニューが選択された場合に表示される画面例である。設定対象の時間を視覚的に把握し易くなるように、下部に時間軸上で発生する（すべき）イベントを、イベントの内容及び状態に応じて異なる色又は形状を用いて表示させる。
【００８１】
図１７は、通信デバイス１から提示されるＷｅｂ画面の他の一例を示す図である。図１７は、整流器Ｄに接続されている通信デバイス１のＷｅｂサーバにより提供される新たなＷｅｂ画面３６１を示している。Ｗｅｂ画面３６１にて表示される情報は、整流器Ｄ用に個別に記憶してあるＷｅｂ画面データ１４Ｐに基づき出力される。図１７に示す通信デバイス１から提供されるＷｅｂ画面３６１をクライアント装置３にて表示するためにもログインが必要になる。ログイン情報はサーバ装置２で提供されるＷｅｂサーバへのログインと共通としてあり、これにより改めてログイン情報を入力する操作をクライアント装置３にて行なうことなしに自動的にログインされて表示される。
【００８２】
通信デバイス１は、接続されている無停電電源装置Ｕの制御ユニットから得られる情報をクライアント装置３へ提供する。図１７に示すように、無停電電源装置Ｕの情報を表示するためのＷｅｂ画面３６１には、装置自体の状態を示す「装置状態」、装置のＯＮ又はＯＦＦを示す「出力状態」、付属のバッテリの充電状態を示す「バッテリ状態」の項目を示す文字情報が含まれている。そして各項目には図１７に示すように、状態を視覚的に示す図柄が含まれている。具体的には、「装置状態」には異常状態又は注意を要する状態であることを示す「エクスクラメーションマーク」、「出力状態」には「電球」の図柄、「バッテリ状態」には「電池」の図柄が対応付けられている。図柄は状態に応じて変化するようにしてあり、「装置状態」に対しては正常状態である場合には「スマイルマーク」に変化したり、不明な場合は「クエスチョンマーク」へ変化したりする。マークの色も、注意又は警告となる状態の場合は暖色系、正常、安全な場合は寒色系となるなど変化するとよい。「出力状態」については「電球」の図柄が、ＯＮ状態では「点灯中」を表わす文字、色、又は模様となり、ＯＦＦ状態では「消灯中」を表わす文字、色、又は模様となるように変化する。「充電状態」については満充電状態であれば枠内に含まれる矩形の数が枠内を満たすような数となり、充電量が少ない状態である場合には１つなどのように視覚的に充電状態が把握可能に表示される。充電中には、稲光など充電中であることを示すような図柄が表示され、放電中には上下にグラデーション化された模様などで放電状態を想起させる図柄が表示されるとよい。
【００８３】
Ｗｅｂ画面３６１には、クライアント装置３にて操作を受け付けるためのメニューアイコン３６２が複数含まれている。複数のメニューアイコン３６２は例えば夫々、通信デバイス１を介して得られる上述したような異常の情報、整流器Ｄ内の各整流器ユニットのＯＮ又はＯＦＦの状態等、出力電圧、電流等の各種情報を表示するためのメニューを含む。メニューアイコン３６２は、クライアント装置３にて通信デバイス１における時刻、通知用のメールアドレス等の設定、ネットワーク設定、ＳＳＨ若しくはＳＮＭＰに関する設定、シリアル通信を介した制御に関する設定、又は通信デバイス１の再起動（シャットダウン）を実行するための設定系メニューを含む。またメニューアイコン３５２は、整流器Ｄを遠隔からシャットダウン（再起動）させたり、内蔵バッテリのテストをさせたりするための制御系メニューを含む。メニューアイコン３６２は、ログイン情報に応じて内容が異なる。保守担当者権限を有するログイン情報により表示されるＷｅｂ画面３６１のメニューアイコン３６２には、ファームウェアのアップデート処理、パスワードの設定等の設定メニューが含まれる。
【００８４】
図１８は、通信デバイス１から提示されるＷｅｂ画面の一例を示す図である。図１８は、図１７のメニューアイコン３６２にて、詳細情報、即ち内蔵されている整流器ユニット夫々についての詳細情報を示すためのメニューが選択された場合に表示される画面例である。整流器ユニット夫々の詳細情報のメニューが選択されると、複数の内蔵整流器ユニット夫々に対応するアイコン３６３が表示される。各アイコン３６３には整流器ユニットを相互に識別する番号等の識別情報が付されており、各整流器ユニットの状態に応じて表示態様が異なる。図１８であれば例えば、最大２０台の整流器ユニットを備える整流器Ｄにて、実際に備えられている整流器ユニットは実線で、空に対応するユニットは破線にて表示されている。内蔵されている整流器ユニットの内、稼働している（ＯＮ状態の）ユニットに対応するアイコン３６３は無地で、稼働していないユニットに対応するアイコン３６３はグレー色で表示される。警告状態、異常が検知された状態ではアイコン３６３の色を黄色、赤色など視覚的に把握し易く変化させるとよい（図中では色の違いをハッチングで示している）。各アイコン３６３には、対応する整流器ユニット個別の詳細情報（電流値、電圧値、警告状態又は異常検知状態である場合に異常コード）を示す画面へのリンクが付与されており、選択されると画面３６１内で整流器ユニットの詳細情報の表示に切り替えられる。
【００８５】
このように通信デバイス１を利用することで、サーバ装置２で提供されるＷｅｂ画面３３０（図７、図８）とは異なる態様で、且つサーバ装置２を拠点として装置毎に個別に情報を提示するＷｅｂページへのアクセスがクライアント装置３から可能になる。
【００８６】
図１１から図１８では、Ｗｅｂ画面例を線図で示している。Ｗｅｂ画面は好ましくは、表示する内容の種別に応じて背景色（背景画像）を異なる態様で表示させる。例えば蓄電モジュール群Ｌの通信デバイス１から提供されるＷｅｂ画面３３６は背景色を、グレーを基調としたものとし、文字及びアイコンは白塗り（白から明るいグレー、ベージュ等）とする。グレーは例えば（Ｒ，Ｇ，Ｂ）＝（80-130, 80-130, 80-130）の範囲でグラデーションとしてもよい。パワーコンディショナＰの通信デバイス１から提供されるＷｅｂ画面３４１は背景色を、例えば紺色を基調としたものとし、文字及びアイコンの色は蓄電モジュール群Ｌと同様に白っぽいものとする。紺色は例えば（Ｒ，Ｇ，Ｂ）＝（ 5-10, 30-65, 60-120）の範囲でグラデーションとしてもよい。無停電電源装置Ｕの通信デバイス１から提供されるＷｅｂ画面３５１は背景色を、例えば深緑色を基調としたものとし、文字及びアイコンの色は蓄電モジュール群Ｌと同様に白っぽいものとする。紺色は例えば（Ｒ，Ｇ，Ｂ）＝（0-5, 50-160, 0-5）の範囲でグラデーションとしてもよい。整流器Ｄの通信デバイス１から提供されるＷｅｂ画面３６１は背景色を、例えば紫色を基調としたものとし、文字及びアイコンの色は蓄電モジュール群Ｌと同様に白っぽいものとする。紫色は例えば（Ｒ，Ｇ，Ｂ）＝（ 80-100, 0-20, 100-150）の範囲でグラデーションとしてもよい。
【００８７】
本実施形態では、ネットワークカード型として蓄電モジュールのみならず、パワーコンディショナＰ、無停電電源装置Ｕ、及び整流器Ｄへも汎用的に搭載可能な通信デバイス１を用いて、各装置の個別の情報をクライアント装置３から取得することが可能である。しかも通信デバイス１へは、各通信デバイス１から情報を収集するサーバ装置２から接続情報を取得して接続することが可能である。通信デバイス１夫々から提供されるＷｅｂ画面は、共通部分を含みつつ、情報の対象の種別に応じて異なる態様で表示される。したがって、クライアント装置３を使用するユーザ又はオペレータは、多数の機器が含まれるシステムにて個別の情報を表示させた場合であってもいずれの種別の蓄電素子又は機器の情報が表示されているのかを視覚的に容易に把握することができる。
【００８８】
蓄電モジュール及び蓄電モジュール群Ｌが、複数のリチウムイオン電池セルから構成される例を説明した。代替的に、蓄電モジュール及び蓄電モジュール群Ｌが（或いはその一部が）複数の鉛蓄電池又はキャパシタから構成されてもよい。
【００８９】
上述の実施の形態はすべての点で例示であって、制限的なものではない。本発明の範囲は、特許請求の範囲によって示され、特許請求の範囲と均等の意味および範囲内でのすべての変更が含まれる。
【符号の説明】
【００９０】
１  通信デバイス
１０  制御部
１２  第１通信部
１３  第２通信部
２  サーバ装置
２０  制御部
２１  記憶部
２２  通信部
３  クライアント装置
３０  制御部
３２  通信部
３３  表示部
【図１】
2019118259.tif 000003
【図２】
2019118259.tif 000004
【図３】
2019118259.tif 000005
【図４】
2019118259.tif 000006
【図５】
2019118259.tif 000007
【図６】
2019118259.tif 000008
【図７】
2019118259.tif 000009
【図８】
2019118259.tif 000010
【図９】
2019118259.tif 000011
【図１０】
2019118259.tif 000012
【図１１】
2019118259.tif 000013
【図１２】
2019118259.tif 000014
【図１３】
2019118259.tif 000015
【図１４】
2019118259.tif 000016
【図１５】
2019118259.tif 000017
【図１６】
2019118259.tif 000018
【図１７】
2019118259.tif 000019
【図１８】
2019118259.tif 000020